(57)【要約】【課題】  通信相手側に存在する物品や商品の品質的な要件の確認・保証、物理的な存在の認証等の実行を可能とする。【解決手段】  相互に距離を有する一方の商品を保持する認証受け側と、商品の譲渡を希望する他方の認証要求側との間において、商品の認証を実行可能とする。他の通信端末機１００から認証用の画像データを受信し、受信した画像データを投影部１１０により近傍に存在する商品の表面へ投射する。投射された認証用の画像データと商品とを１つの画面で撮像部１０２ｂで撮像し、撮像した画像データを他の通信端末機へ送信する。商品の画像データが認証用画像データと一体的に撮像されているか否かにより、他の端末機の認証要求側と被認証受け側とが距離を有した状態において、認証をより高い信頼性を持って実行可能とする。【選択図】  図１
2006285561.tif 000002
【特許請求の範囲】
【請求項１】
他の通信端末機から認証用の画像データを受信する画像データ受信部と、
前記受信した画像データを近傍に存在する商品の表面へ投射する画像データ投射部と、
前記投射された認証用の画像データと前記商品とを１の画面で撮像する撮像部と、
前記撮像した画像データを前記他の通信端末機へ送信する画像データ送信部とを有し、
前記商品の画像データが前記認証用画像データと一体的に撮像されているか否かにより、前記他の端末機の認証要求側と被認証受け側とが距離を有した状態において、該商品の認証を行うことを特徴とする通信端末機。
【請求項２】
相互に距離を有する一方の商品を保持する認証受け側と、前記商品の譲渡を希望する他方の認証要求側との間において、前記商品の認証の実行を可能とする通信端末機による商品の認証システムであって、
前記認証受け側の通信端末機は、前記認証要求側の通信端末機から前記認証を実行する際に用いる認証用画像データを受信する画像データ受信部と、前記受信した認証用画像データを投射する画像データ投射部と、前記投射した認証用画像データを前記商品と一体的に撮像した撮像画像データを取得する撮像部と、前記取得した撮像画像データを前記他方の通信端末機へ送信する撮像画像データ送信部とを有し、
前記認証要求側の通信端末機は、前記商品の画像データが前記認証用画像データと一体的に撮像されているか否かにより、前記認証要求側と被認証受け側とが前記距離を有した状態において、前記商品の認証を行うことを特徴とする商品の認証システム。
【請求項３】
前記認証用画像データは、前記認証要求側が任意に選択した絵、文字、図形、色彩、模様を含む画像データであることを特徴とする請求項２に記載の商品の認証システム。
【請求項４】
前記認証要求側の通信端末機は、前記商品の画像データが前記認証用画像データと一体的に撮像された撮像画像データを取得した時間が、前記認証用の画像データを送信してから所定時間を超過している場合は無効とする時間管理部を、さらに有することを特徴とする請求項２または３に記載の商品の認証システム。
【請求項５】
相互に距離を有する一方の商品を保持する被認証受け側と、前記商品の譲渡を希望する他方の認証要求側との間において、前記商品の認証を実行する通信端末機による商品の認証方法であって、
前記商品の譲渡を希望する通信相手の通信端末機から認証画像情報を受信する認証情報受信ステップと、
前記受信した認証画像情報に基づく画像を投射する画像投射ステップと、
前記投射された画像と前記商品とを一体的に撮像する撮像ステップと、
前記一体的に撮像された画像データを前記商品の譲渡を希望する通信相手の通信端末機へ送信する一体画像送信ステップとを有し、
前記商品の画像データが前記認証用画像データと一体的に撮像されているか否かにより、前記認証要求側と被認証受け側とが前記距離を有した状態において、前記商品の認証を行うことを特徴とする商品の認証方法。
【請求項６】
前記認証情報は、物体の外観、絵、文字、図形、色彩、模様等を含む画像データであることを特徴とする請求項５に記載の商品の認証方法。
【請求項７】
前記認証要求側の通信端末機における前記認証の有効／無効の判定において、前記商品の画像データが前記認証用画像データと一体的に撮像された撮像画像データを取得した時間が、前記認証用の画像データを送信してから所定時間を超過している場合は無効とする時間管理ステップを、さらに有することを特徴とする請求項５または６に記載の商品の認証方法。
【発明の詳細な説明】
【技術分野】
【０００１】
本発明は、通信端末機、商品の認証システムおよび商品の認証方法に関し、より詳細には、通信相手側に存在する物品や商品の品質的な要件の確認・保証、物理的な存在の認証等を行うことが可能な、通信端末機、商品の認証システムおよび商品の認証方法に関するものである。
【背景技術】
【０００２】
現在、例えば、ネット上での物品の販売システムがある。本システムは、特に端末機器の発達と共に、運用の形態が多様化する傾向にある。
【０００３】
従来例１として、液晶表示器とタッチパネルが設けられた折り畳み型の携帯電話機であり、このタッチパネルは、表面が印刷無しの無地に加工される。本形態において、上側本体の上部にキー投影部が設けられ、このキー投影部からキー配置等によるキー情報がタッチパネル面へ投影される。ユーザーは、この情報を見て、タッチパネルの所望の位置を押下することにより、入力操作を行う（特許文献１）。
【０００４】
従来例２では、商品を仮想展示するスクリーンを持ち、このスクリーン上でビーム光の指示場所および指示動作をカメラにより読み取り、商品情報展示端末機により認識解析し、注文情報の登録、注文情報の読み出し等を行っている（特許文献２）。
従来例３では、伝送されたデータ、画像信号から得られた像を外部に投影する技術を開示し、さらには、電話機本体の正面、或は背面等適宜な位置から投影する構成を開示している（特許文献３）。
【特許文献１】特開２００３−１５２８５１号公報
【特許文献２】特開２００４−６２４６７号公報
【特許文献３】特開平７−５８８１４号公報
【発明の開示】
【発明が解決しようとする課題】
【０００５】
しかし、従来のネットビジネス等において、写真（画像）で表示されている購入希望対象商品が、実在するか否か、表示された仕様と実質的に同一の物か等、不安になる場合がある。このような場合、相手を信頼して取引を行う以外に、実効性のある対応策が為されていないのが実状である。
また、ネットビジネス等における認証システムは、周知の様に、自宅等の手元においてビジネスの運用・実行が可能となる等のメリットがある反面、各種のデメリットも発生する。例えば、写真（画像）で表示されている購入対象商品の機能・構成・仕様が、本当に告示内容を満たしているか否かの確認は難しい。より具体的に課題点の一例を列挙すると、“対象商品が手元に実在するのか？、実在商品の細部の外観は？、視点を変えた方向からの形状は？、実際の色調は？”、等の要件が不安になる場合がある。このような場合、基本的に相手を信頼して取引を行う以外に方法は無い、と言える。
【０００６】
本発明の目的は、相手側に存在する物品や商品の検証、認証、確認等を行うことを可能とする、通信端末機、商品の認証システムおよび商品の認証方法を提供することを目的とする。
【課題を解決するための手段】
【０００７】
請求項１記載の発明は、他の通信端末機から認証用の画像データを受信する画像データ受信部と、前記受信した画像データを近傍に存在する商品の表面へ投射する画像データ投射部と、前記投射された認証用の画像データと前記商品とを１の画面で撮像する撮像部と、前記撮像した画像データを前記他の通信端末機へ送信する画像データ送信部とを有し、前記商品の画像データが前記認証用画像データと一体的に撮像されているか否かにより、前記他の端末機の認証要求側と被認証受け側とが距離を有した状態において、該商品の認証を行うことを特徴とする。
【０００８】
請求項２記載の発明は、相互に距離を有する一方の商品を保持する認証受け側と、前記商品の譲渡を希望する他方の認証要求側との間において、前記商品の認証の実行を可能とする通信端末機による商品の認証システムであって、前記認証受け側の通信端末機は、前記認証要求側の通信端末機から前記認証を実行する際に用いる認証用画像データを受信する画像データ受信部と、前記受信した認証用画像データを投射する画像データ投射部と、前記投射した認証用画像データを前記商品と一体的に撮像した撮像画像データを取得する撮像部と、前記取得した撮像画像データを前記他方の通信端末機へ送信する撮像画像データ送信部とを有し、前記認証要求側の通信端末機は、前記商品の画像データが前記認証用画像データと一体的に撮像されているか否かにより、前記認証要求側と被認証受け側とが前記距離を有した状態において、前記商品の認証を行うことを特徴とする。
【０００９】
請求項３記載の発明は、請求項２に記載の発明において、前記認証用画像データは、前記認証要求側が任意に選択した絵、文字、図形、色彩、模様を含む画像データであることを特徴とする。
【００１０】
請求項４記載の発明は、請求項２または３に記載の発明において、前記認証要求側の通信端末機は、前記商品の画像データが前記認証用画像データと一体的に撮像された撮像画像データを取得した時間が、前記認証用の画像データを送信してから所定時間を超過している場合は無効とする時間管理部を、さらに有することを特徴とする。
【００１１】
請求項５記載の発明は、相互に距離を有する一方の商品を保持する被認証受け側と、前記商品の譲渡を希望する他方の認証要求側との間において、前記商品の認証を実行する通信端末機による商品の認証方法であって、前記商品の譲渡を希望する通信相手の通信端末機から認証画像情報を受信する認証情報受信ステップと、前記受信した認証画像情報に基づく画像を投射する画像投射ステップと、前記投射された画像と前記商品とを一体的に撮像する撮像ステップと、前記一体的に撮像された画像データを前記商品の譲渡を希望する通信相手の通信端末機へ送信する一体画像送信ステップとを有し、前記商品の画像データが前記認証用画像データと一体的に撮像されているか否かにより、前記認証要求側と被認証受け側とが前記距離を有した状態において、前記商品の認証を行うことを特徴とする。
【００１２】
請求項６記載の発明は、請求項５に記載の発明において、前記認証情報は、物体の外観、絵、文字、図形、色彩、模様等を含む画像データであることを特徴とする。
【００１３】
請求項７記載の発明は、請求項５または６に記載の発明において、前記認証要求側の通信端末機における前記認証の有効／無効の判定において、前記商品の画像データが前記認証用画像データと一体的に撮像された撮像画像データを取得した時間が、前記認証用の画像データを送信してから所定時間を超過している場合は無効とする時間管理ステップを、さらに有することを特徴とする。
【発明の効果】
【００１４】
請求項１に記載の発明によれば、他の通信端末機から認証用の画像データを受信し、受信した画像データを近傍に存在する商品の表面へ投射し、投射された認証用の画像データと商品とを１の画面で撮像し、この撮像した画像データを他の通信端末機へ送信する。送信された商品の画像データが、認証用画像データと一体的に撮像されているか否かにより、他の端末機の認証要求側と被認証受け側とが距離を有した状態において、商品の認証をより高い信頼性を確保しての実行が可能となる。
【００１５】
請求項２に記載の発明によれば、相互に距離を有する一方の商品を保持する認証受け側と、商品の譲渡を希望する他方の認証要求側との間において、商品の認証の実行を可能とする通信端末機による商品の認証システムである。本認証システムにおける認証受け側の通信端末機は、認証要求側の他方の通信端末機から認証を実行する際に用いる認証用画像データを受信し、受信した認証用画像データを投射し、投射した認証用画像データを商品と一体的に撮像した撮像画像データを取得し、この取得した撮像画像データを他方の通信端末機へ送信する。この送信された撮像画像データを受信した認証要求側の通信端末機では、商品の画像データが認証用画像データと一体的に撮像されているか否かの確認により、認証要求側と被認証受け側とが距離を有した状態において、商品の認証が可能となる。
【００１６】
請求項３に記載の発明によれば、請求項２に記載の認証システムにおいて、認証用画像データは、他方の認証要求側が任意に選択した絵、文字、図形、色彩、模様を含む画像データでよい。この結果、簡便に認証の実行が可能となる。
【００１７】
請求項４に記載の発明によれば、上記認証受け側の通信端末機は、認証用画像データを受信し、該受信時から所定時間以内の撮像画像データのみ他方の通信端末機へ送信する時間管理部を、さらに有している。これにより、認証の信頼性を高めることが可能となる。
【００１８】
請求項５に記載の発明によれば、相互に距離を有する一方の商品を保持する被認証受け側と、商品の譲渡を希望する他方の認証要求側との間において、商品の認証を実行する通信端末機による商品の認証方法であって、商品の譲渡を希望する通信相手の通信端末機から認証画像情報を受信し、受信した認証画像情報に基づく画像を投射し、投射された画像と商品とを一体的に撮像する。この、一体的に撮像された画像データを商品の譲渡を希望する通信相手の通信端末機へ送信する。この結果、商品の画像データが認証用画像データと一体的に撮像されているか否かにより、認証要求側と被認証受け側とが距離を有した状態において、商品の認証が可能となる。
【００１９】
請求項６に記載の発明によれば、認証情報は、所定の物体の外観、絵、文字、図形、色彩、模様等を含む画像データでよいとしている。この結果、認証が容易に実行可能となる。
【００２０】
請求項７に記載の発明によれば、認証要求側の通信端末機における認証の有効／無効の判定を、所定商品の画像データが認証用画像データと一体的に撮像された撮像画像データを取得した時間が、認証用の画像データを送信してから所定時間を超過している場合は無効としている。これにより、認証の信頼性を高めることが可能となる。
【発明を実施するための最良の形態】
【００２１】
本発明の通信端末機（Ａ）は、例えば、パーソナルコンピュータ、携帯電話機、ＰＤＡ等の通信機能を備えた情報処理装置であって、図１および図２に示す様に携帯通信端末機（Ａ）である場合を例に説明する。図１は、本発明の実施形態の携帯通信端末機の外観構成例を示している。図１（２）は、投影部１１０側の外観構成例であり、投影部１１０による印象データの投影例を概念的に図化して示している。
【００２２】
図２は、実施形態に適用される携帯通信端末機（Ａ）１００の、機能構成例を示したブロック構成図である。本発明に適用される実施形態の携帯通信端末機（Ａ）１００は、上部筐体と下部筐体が相互にヒンジを介して開閉可能に結合された折畳み型の携帯電話機である。本携帯電話機（Ａ）は、無線部１０１、撮像部１０２（１０２ａ／１０２ｂ）、表示部１０３（１０３ａ／１０３ｂ）、操作部１０４、音声処理部１０５、マイク１０６、スピーカ（受話用）１０７、スピーカ（報知用）１０８、メモリ１０９、投影部１１０、制御部１１１とを有して構成される。
【００２３】
携帯通信端末機（Ａ）１００の無線部１０１は、アンテナを介して無線基地局との間で無線信号を送受信する。
携帯通信端末機（Ａ）１００の撮像部１０２（１０２ａ／１０２ｂ）は、上部筐体内面／外面に配置され、画像情報の取得（撮影）を行う。
携帯通信端末機（Ａ）１００の表示部１０３（１０３ａ／１０３ｂ）は、上部筐体内面／外面に配置され、文字・画像等の各種情報の表示出力を行う。
【００２４】
携帯通信端末機（Ａ）１００の操作部１０４は、下側筐体内面に配置された各種情報操作入力を行うテンキー、スクロール／決定キー、および下側筐体側面に配置され、上部筐体と下部筐体が閉じた状態でも操作可能なサイドボタンを含み構成される。
携帯通信端末機（Ａ）１００のマイク１０６およびスピーカ（受話用）１０７は、音声信号処理を行う音声処理部１０５への入力・出力を行う。
【００２５】
携帯通信端末機（Ａ）１００のメモリ１０９は、音楽、報知音等を出力するスピーカ１０８用の報知情報と、電話帳情報、送受信メール情報、発着呼情報、携帯電話端末機（Ａ）の各種設定、プログラム情報、画像／音楽コンテンツ等を格納する。
携帯通信端末機（Ａ）１００の投影部１１０は、光源（例えばＬＥＤ）と、所定の制御情報により該光源からの光の少なくとも一部を通過させる透過表示部とから構成されて、所定情報の投影を行う。
携帯通信端末機（Ａ）１００の制御部１１１は、電話機能、メール送受信機能、ｗｅｂ接続（インターネット接続）機能、カメラ機能、および携帯通信端末機各部の制御を行う。
【００２６】
図３および図４は、動作例を表したフローチャート（１）、（２）である。本発明の一実施形態の携帯通信端末機（Ａ）１００の動作例について、図３および図４を参照して説明する。携帯通信端末機（Ａ）１００は、ｗｅｂサイトに表示されている画像商品について、購入希望者（通信端末機Ｂ）からの通信を受けた時に（ステップＳ５０１）、当該画像実商品に投影する情報（色彩／模様等）の受信を監視する（ステップＳ５０２）。
購入希望者（通信端末機Ｂ）からの絵、文字、図形、色彩、模様など投影情報を受信した時は、携帯通信端末機（Ａ）１００の投影側の撮像部１０２ｂを起動し（ステップＳ５０３〜Ｓ５０４）、更に投影部１１０からレーザーマーカー等で、当該商品に情報を投影させる（ステップＳ５０５）。
【００２７】
そして、商品に投影情報が写し込まれた画像を取得し（ステップＳ８０５）、購入希望者（通信端末機Ｂ）に送信する（ステップＳ５０６〜Ｓ５０８／Ｓ８０８）。なお、投影情報は、情報内容を変えて複数回送付される様にしてもよい。また、データ改ざん防止を考慮し、一定の時間を過ぎた返信データは無効とするよう、購入希望者（通信端末機Ｂ）側で判別可能とされる（ステップＳ５０７／Ｓ８０８）。本処理は、前記一定時間の時間長を含み、時間チェック有効／無効の選択設定を可能としても良い。
また、投影情報の商品への写し込みは、商品の表面へ投射して一つの画像として取得することが望ましい。しかし、この“写し込み”は、商品の物理的な存在確認が確実に実行されればよく、対象商品の形状、形態、色調等の条件を勘案して、最適な状態での撮像が望まれ、上記の形態に限られない。
【００２８】
なお、上記の動作手順例は、携帯通信端末（Ａ）１００の動作例を表す図３を基準に説明している。また、図４は、本発明に係る携帯通信端末機（Ａ）１００の動作手順例を、商品の購入希望者側である通信端末Ｂとの相互の関係において表している。
【００２９】
上記実施形態の携帯通信端末機（Ａ）１００によれば、購入希望者（通信端末機Ｂ）は、対象商品に投影情報が写し込まれた画像を確認することにより、当該商品の存在、当該商品が現在相手側にあることを確認出来る。また、一回だけでは不安な場合には、送付データ（投影情報）の撮影ショットの種類を換えて確認できるので、対象商品の内容情報をより確実に把握・確認が可能と成る。
【００３０】
ネットビジネス等において、写真（画像）で表示されている購入対象商品が取引対象商品と同一なものか、実在するのかが不安になる場合がある。上記実施形態の携帯通信端末機（Ａ）１００では、通信相手（通信端末機Ｂ）からの認証情報を受信したときに、当該認証情報を出力するとともに、撮像部を介して当該認証情報を含む対象物情報を取得し、通信相手（通信端末機Ｂ）に送信する機能を有する。
また、上記通信端末機（Ａ）は、認証情報として、絵、文字、図形、色彩、模様など情報を受信し、該情報に基づく投影を行う機能を有する。これらの投影した画像を取得したときに、認証情報の受信から所定時間以内の撮像情報のみ、通信相手（通信端末機Ｂ）に送信する機能を有する。
【図面の簡単な説明】
【００３１】
【図１】本発明の実施形態の携帯通信端末機の外観構成例を示す図である。
【図２】携帯通信端末機の機能構成例を示したブロック構成図である。
【図３】本発明の実施形態の動作例を表したフローチャートである。
【図４】本発明の実施形態の動作例を表したフローチャートである。
【符号の説明】
【００３２】
１００    携帯通信端末機
１０１    無線部
１０２（１０２ａ／１０２ｂ）    撮像部
１０３（１０３ａ／１０３ｂ）    表示部
１０４    操作部
１０５    音声処理部
１０６    マイク
１０７    スピーカ（受話用）
１０８    スピーカ（報知用）
１０９    メモリ
１１０    投影部
１１１    制御部
【図１】
2006285561.tif 000003
【図２】
2006285561.tif 000004
【図３】
2006285561.tif 000005
【図４】
2006285561.tif 000006